(57)【要約】【課題】近接撮影機能を利用する必要がある機能（例えばバーコード認識機能）を容易かつ適切に実行できるようなカメラ付き電子機器（例えば携帯電話機等）、フォーカス位置調節制御方法、記憶媒体およびプログラムを提供する。【解決手段】通常距離撮影と近接撮影とが可能なカメラ２を備えるカメラ付き電子機器（例えば携帯電話機１）である。近接撮影を要する要近接撮影モード（例えばバーコード認識モード）が動作モードとして選択された場合に、カメラ２のレンズ２１のフォーカス位置を近接撮影用位置に調節制御するフォーカス位置調節制御手段（制御装置８）を備える。【選択図】    図５
2004309689.tif 000002
【特許請求の範囲】
【請求項１】
通常距離撮影と近接撮影とが可能なカメラを備えるカメラ付き電子機器において、
当該カメラ付き電子機器の動作モードとして、前記カメラによる近接撮影の必要がある要近接撮影モードが選択された場合に、前記カメラのレンズのフォーカス位置を近接撮影用の位置に調節する制御を行うフォーカス位置調節制御手段を備えることを特徴とするカメラ付き電子機器。
【請求項２】
通常距離撮影と近接撮影とが可能なカメラを備えるカメラ付き電子機器において、
当該カメラ付き電子機器の動作モードとして、前記カメラによる近接撮影の必要がある要近接撮影モードが選択解除された場合に、前記カメラのレンズのフォーカス位置を通常距離撮影用の位置に調節する制御を行うフォーカス位置調節制御手段を備えることを特徴とするカメラ付き電子機器。
【請求項３】
通常距離撮影と近接撮影とが可能なカメラを備えるカメラ付き電子機器において、
当該カメラ付き電子機器の動作モードとして、前記カメラによる近接撮影の必要がある要近接撮影モードが選択された場合には、前記カメラのレンズのフォーカス位置を近接撮影用の位置に調節する制御を行う一方で、
前記動作モードとして前記要近接撮影モードが選択解除された場合には、前記フォーカス位置を通常距離撮影用の位置に調節する制御を行うフォーカス位置調節制御手段を備えることを特徴とするカメラ付き電子機器。
【請求項４】
前記要近接撮影モードは、近接撮影で得られる画像に基づき情報認識を行うモードであることを特徴とする請求項１乃至３のいずれか一項に記載のカメラ付き電子機器。
【請求項５】
前記要近接撮影モードは、前記情報認識として光学文字認識又はバーコード認識を行うモードであることを特徴とする請求項４に記載のカメラ付き電子機器。
【請求項６】
前記レンズは、通常距離撮影の際、ならびに、近接撮影の際に共通に用いられるものであり、
前記フォーカス位置調節制御手段は、前記レンズをその光軸方向に移動させることにより、フォーカス位置を調節制御することを特徴とする請求項１乃至５のいずれか一項に記載のカメラ付き電子機器。
【請求項７】
当該カメラ付き電子機器は、携帯情報端末装置であることを特徴とする請求項１乃至６のいずれか一項に記載のカメラ付き電子機器。
【請求項８】
前記携帯情報端末装置は、携帯電話機であることを特徴とする請求項７に記載のカメラ付き電子機器。
【請求項９】
請求項１又は３に記載のカメラ付き電子機器におけるレンズのフォーカス位置を調節するための制御方法であって、
前記カメラ付き電子機器の動作モードとして前記要近接撮影モードが選択された場合に、
前記要近接撮影モードを実現するのに必要なプログラムである要近接撮影モード用プログラムの起動と、
前記フォーカス位置調節制御手段により前記フォーカス位置を近接撮影用の位置に調節する制御と、
を並行して行うことを特徴とするフォーカス位置調節制御方法。
【請求項１０】
請求項２又は３に記載のカメラ付き電子機器におけるレンズのフォーカス位置を調節するための制御方法であって、
前記カメラ付き電子機器の動作モードとして前記要近接撮影モードが選択解除された場合に、
前記要近接撮影モードを実現するのに必要なプログラムである要近接撮影モード用プログラムの終了と、
前記フォーカス位置調節制御手段により前記フォーカス位置を通常距離撮影用の位置に調節する制御と、
を並行して行うことを特徴とするフォーカス位置調節制御方法。
【請求項１１】
請求項３に記載のカメラ付き電子機器におけるレンズのフォーカス位置を調節するための制御方法であって、
前記カメラ付き電子機器の動作モードとして前記要近接撮影モードが選択された場合には、前記要近接撮影モードを実現するのに必要なプログラムである要近接撮影モード用プログラムの起動と、前記フォーカス位置調節制御手段により前記フォーカス位置を近接撮影用の位置に調節する制御と、を並行して行う一方で、
前記動作モードとして前記要近接撮影モードが選択解除された場合には、前記要近接撮影モードを実現するのに必要なプログラムである要近接撮影モード用プログラムの終了と、前記フォーカス位置調節制御手段により前記フォーカス位置を通常距離撮影用の位置に調節する制御と、を並行して行うことを特徴とするフォーカス位置調節制御方法。
【請求項１２】
通常距離撮影と近接撮影とが可能なカメラを備えるカメラ付き電子機器における動作モードとして、前記カメラによる近接撮影の必要がある要近接撮影モードが選択された場合に、前記カメラのレンズのフォーカス位置を近接撮影用の位置に調節する制御を行うことを特徴とするフォーカス位置調節制御方法。
【請求項１３】
通常距離撮影と近接撮影とが可能なカメラを備えるカメラ付き電子機器における動作モードとして、前記カメラによる近接撮影の必要がある要近接撮影モードが選択解除された場合に、前記カメラのレンズのフォーカス位置を通常距離撮影用の位置に調節する制御を行うことを特徴とするフォーカス位置調節制御方法。
【請求項１４】
通常距離撮影と近接撮影とが可能なカメラを備えるカメラ付き電子機器における動作モードとして、前記カメラによる近接撮影の必要がある要近接撮影モードが選択された場合には前記カメラのレンズのフォーカス位置を近接撮影用の位置に調節する制御を行う一方で、前記動作モードとして前記要近接撮影モードが選択解除された場合には前記フォーカス位置を通常距離撮影用の位置に調節する制御を行うことを特徴とするフォーカス位置調節制御方法。
【請求項１５】
コンピュータが実行可能なプログラムにおいて、
請求項１又は３に記載のカメラ付き電子機器における動作モードとして前記要近接撮影モードが選択された場合に前記フォーカス位置を近接撮影用位置に調節する制御を実現させるのに必要であることを特徴とするプログラム。
【請求項１６】
コンピュータが実行可能なプログラムにおいて、
請求項１又は３に記載のカメラ付き電子機器における動作モードとして前記要近接撮影モードが選択された場合に、
前記要近接撮影モードを実現させるのに必要なプログラムである要近接撮影モード用プログラムの起動と、
前記フォーカス位置を近接撮影用位置に調節する制御を実現させるのに必要なプログラムである選択時フォーカス位置調節用プログラムの実行と、
を並行して行わせるのに必要であることを特徴とするプログラム。
【請求項１７】
コンピュータが実行可能なプログラムにおいて、
請求項２又は３に記載のカメラ付き電子機器における動作モードとして前記要近接撮影モードが選択解除された場合に前記フォーカス位置を通常距離撮影用位置に調節する制御を実現させるのに必要であることを特徴とするプログラム。
【請求項１８】
コンピュータが実行可能なプログラムにおいて、
請求項２又は３に記載のカメラ付き電子機器において前記要近接撮影モードが選択解除された場合に、
前記要近接撮影モードを実現させるのに必要なプログラムである要近接撮影モード用プログラムの終了と、
前記フォーカス位置を通常距離撮影用位置に調節する制御を実現させるのに必要なプログラムである解除時フォーカス位置調節用プログラムの実行と、
を並行して行わせるのに必要であることを特徴とするプログラム。
【請求項１９】
請求項１５乃至１８のいずれか一項に記載したプログラムが記録されていることを特徴とする、コンピュータ読み取り可能な記録媒体。
【発明の詳細な説明】
【０００１】
【発明の属する技術分野】
本発明は、カメラ付き電子機器、フォーカス位置調節制御方法、プログラム及び記憶媒体に関する。
【０００２】
【従来の技術】
従来より、カメラを備えるカメラ付き電子機器として、例えばカメラ付き携帯電話機が実用化されている。このようなカメラ付き携帯電話機のなかには、カメラによる近接撮影機能を利用する必要がある機能（例えばバーコード認識機能）を備えるタイプのものが存在する。
【０００３】
従来、このような携帯電話機は、近接撮影機能を利用する必要がある機能の実行モード（例えば、バーコード認識機能の実行モードであるバーコード認識モード）を選択する操作と、カメラの撮影モードを近接撮影モードに設定する操作と、の２つの操作がユーザーによってなされることにより、バーコード認識等を適切に行える状態に移行する構成となっている。
【０００４】
すなわち、例えば、バーコード認識モードの選択操作に基づき該モードの実現用プログラムを起動する一方で、近接撮影モードへの設定操作に基づきカメラレンズのフォーカス位置を近接撮影用位置に調節することにより、バーコード認識を適切に行うための準備をする。
【０００５】
他方、例えば、バーコード認識モードを終了し、引き続き、カメラによる通常距離撮影を行おうとするような場合にも、ユーザーは、バーコード認識モードを選択解除する操作と、撮影モードを通常距離撮影モードに設定する操作と、の２つの操作を行う必要がある。
【０００６】
なお、上記のような従来の技術は、公然と実施されているものの、それに該当する先行技術文献は調査できなかった。
【０００７】
【発明が解決しようとする課題】
従来のカメラ付き携帯電話機において、バーコード認識機能等、近接撮影機能を利用する必要がある機能を用いようとする場合には、該機能の実行モード（例えばバーコード認識モード）を選択する操作だけでなく、上記のように、撮影モードを近接撮影モードに設定する操作も行う必要がある。つまり、複数の操作を要する。従って、ユーザーが操作を迅速に行うことが困難であるという問題があるだけでなく、ユーザーのミスにより操作が的確に行われない可能性も高まる。このため、例えば、ユーザーが近接撮影モードへの設定操作をし忘れた場合には、誤認識の発生によりバーコード認識が適切に行われない、或いは、バーコード認識操作がエラーとして扱われてしまうことにより該操作を実行できない等といった不具合を生じてしまう。
【０００８】
さらに、近接撮影機能を利用する必要がある機能（バーコード認識機能等）を終了し、引き続き、例えば、カメラによる通常距離撮影を行おうとするような場合には、上記のように、バーコード認識モードを選択解除する操作だけでなく、撮影モードを通常距離撮影モードに戻す操作も行う必要がある。つまり、この場合にも、複数の操作を要するため、迅速・的確な操作が困難となる。このため、例えば、ユーザーが通常距離撮影モードに戻し忘れた場合には、通常距離での撮影時にジャストフォーカスの撮影ができないといった不具合を生じる。
【０００９】
本発明は、上記のような問題点を解決するためになされたもので、近接撮影機能を利用する必要がある機能（例えばバーコード認識機能等）の実行を容易になしえるとともに、該機能の適切な実行を確実に行えるようなカメラ付き電子機器（例えば携帯電話機等）、フォーカス位置調節制御方法、プログラム及び記憶媒体を提供することを目的とする。
【００１０】
また、本発明は、近接撮影機能を利用する必要がある機能の実行モードが動作モードとして選択された状態から通常距離撮影への移行を容易になしえるとともに、通常距離撮影において確実にジャストフォーカスでの撮影ができるようなカメラ付き電子機器、フォーカス位置調節制御方法、プログラム及び記憶媒体を提供することを目的とする。
【００１１】
【課題を解決するための手段】
上記課題を解決するため、本発明のカメラ付き電子機器は、通常距離撮影と近接撮影とが可能なカメラを備えるカメラ付き電子機器において、当該カメラ付き電子機器の動作モードとして、前記カメラによる近接撮影の必要がある要近接撮影モードが選択された場合に、前記カメラのレンズのフォーカス位置を近接撮影用の位置に調節する制御を行うフォーカス位置調節制御手段を備えることを特徴としている。
【００１２】
ここで、カメラ付き電子機器としては、例えば、携帯電話機、ＰＨＳ（Ｐｅｒｓｏｎａｌ  Ｈａｎｄｙ  Ｐｈｏｎｅ  Ｓｙｓｔｅｍ）、携帯型情報通信端末（ＰＤＡ：Ｐｅｒｓｏｎａｌ  Ｄｉｇｉｔａｌ  Ａｓｓｉｓｔａｎｔ）等の携帯情報端末装置などが挙げられるが、その他にも、カメラ付き電子機器として、例えば、小型の家電製品（例えば、家庭用電話機の子機、電卓等）が挙げられる。
【００１３】
また、要近接撮影モードは、例えば、光学文字認識（ＯＣＲ：ＯｐｔｉｃａｌＣｈａｒａｃｔｅｒ  Ｒｅｃｏｇｎｉｔｉｏｎ）、バーコード認識、或いは、その他の情報認識（例えば、図形、物体の形状、色等の認識）を行うモードであることが挙げられる。
【００１４】
さらに、レンズは、例えば、通常距離撮影の際ならびに近接撮影の際に共通に用いられるレンズであることが挙げられるが、或いは、通常距離撮影の際と近接撮影の際とでは互いに異なるレンズ又はレンズ群（レンズ群は複数のレンズからなる）を用いるようにしても良く、通常距離撮影の際と近接撮影の際とで各々適切なフォーカス位置に設定できるようであれば如何なるものであっても良い。
【００１５】
なお、要近接撮影モードの選択は、例えば、カメラ付き電子機器が備える要近接撮影モード選択操作部をユーザーが操作することによりなされる。すなわち、カメラ付き電子機器は、当該カメラ付き電子機器の動作モードを要近接撮影モードにする選択操作を行うための要近接撮影モード選択操作部を備えることを好ましい一例とする。
【００１６】
本発明のカメラ付き電子機器によれば、動作モードとして要近接撮影モードが選択された場合には、レンズのフォーカス位置を近接撮影用の位置に調節する制御をフォーカス位置調節制御手段が自動的に行うので、ユーザーは、要近接撮影モードの選択操作を行うだけで、要近接撮影モードの機能を適切に実行できる状態へとカメラ付き電子機器の状態を移行させることができる。つまり、従来の携帯電話機の場合には、要近接撮影モードの選択操作の他にも撮影モードを近接撮影モードに設定する操作を要していたのに対し、本発明のカメラ付き電子機器の場合には、撮影モードを近接撮影モードに設定する操作を必要としないので、要近接撮影モードに移行させるための操作が簡単・迅速になる。また、このように、要近接撮影モードを利用する際に近接撮影モードへの設定操作を行う必要がないことから、該設定操作のし忘れに起因する問題、具体的には、例えば、誤認識の発生によりバーコード認識が適切に行われない、或いは、バーコード認識操作がエラーとして扱われてしまうことにより該操作を実行できない等といった問題は発生しない構成とすることができる。
【００１７】
また、上記課題を解決するため、本発明のカメラ付き電子機器は、通常距離撮影と近接撮影とが可能なカメラを備えるカメラ付き電子機器において、当該カメラ付き電子機器の動作モードとして、前記カメラによる近接撮影の必要がある要近接撮影モードが選択解除された場合に、前記カメラのレンズのフォーカス位置を通常距離撮影用の位置に調節する制御を行うフォーカス位置調節制御手段を備えることを特徴としている。
【００１８】
本発明のカメラ付き電子機器によれば、要近接撮影モードが選択解除された場合には、レンズのフォーカス位置を通常距離撮影用の位置に調節する制御をフォーカス位置調節制御手段が自動的に行うので、ユーザーは、要近接撮影モードの選択解除操作を行うだけで、通常距離撮影を適切に行える状態へとカメラ付き電子機器の状態を移行させることができる。つまり、従来の携帯電話機の場合には、要近接撮影モードの選択解除操作の他にも撮影モードを通常距離撮影モードに設定する操作を要していたのに対し、本発明のカメラ付き電子機器の場合には、撮影モードを通常距離撮影モードに設定する操作を必要としないので、要近接撮影モードの解除操作が簡単・迅速になる。また、このように、要近接撮影モードを解除する際（或いは解除の後に通常距離撮影を行う際）に通常距離撮影モードへの設定操作を行う必要がないことから、該設定操作のし忘れに起因する問題、具体的には、例えば、通常距離での撮影時にジャストフォーカスの撮影ができない等といった問題は発生しない構成とすることができる。
【００１９】
なお、要近接撮影モードの選択解除は、例えば、カメラ付き電子機器が備える要近接撮影モード選択解除操作部をユーザーが操作することによりなされる。すなわち、カメラ付き電子機器は、要近接撮影モードの解除操作を行うための要近接撮影モード選択解除操作部を備えることを好ましい一例とする。なお、ここで言う選択解除には、他のモード（例えば通常距離撮影モード）の選択も含むこととする。
【００２０】
また、上記課題を解決するため、本発明のカメラ付き電子機器は、通常距離撮影と近接撮影とが可能なカメラを備えるカメラ付き電子機器において、当該カメラ付き電子機器の動作モードとして、前記カメラによる近接撮影の必要がある要近接撮影モードが選択された場合には、前記カメラのレンズのフォーカス位置を近接撮影用の位置に調節する制御を行う一方で、前記動作モードとして前記要近接撮影モードが選択解除された場合には、前記フォーカス位置を通常距離撮影用の位置に調節する制御を行うフォーカス位置調節制御手段を備えることを特徴としている。
【００２１】
また、本発明のカメラ付き電子機器における前記要近接撮影モードは、近接撮影で得られる画像に基づき情報認識を行うモードであることを好ましい例とし、より具体的には、例えば、光学文字認識又はバーコード認識を行うモードであることを好ましい例とする。
【００２２】
また、本発明のカメラ付き電子機器においては、前記レンズは通常距離撮影の際ならびに近接撮影の際に共通に用いられるものであり、前記フォーカス位置調節制御手段は前記レンズをその光軸方向に移動させることによりフォーカス位置を調節制御することを好ましい例とする。この場合、近接撮影用の専用のレンズを用いる場合と比べて部品点数が少なく済むので、カメラ付き電子機器の製造工程を単純化できるとともに該電子機器の低コスト化が図れる。
【００２３】
また、本発明のフォーカス位置調節制御方法は、本発明のカメラ付き電子機器におけるレンズのフォーカス位置を調節するための制御方法であって、前記カメラ付き電子機器の動作モードとして前記要近接撮影モードが選択された場合に、前記要近接撮影モードを実現するのに必要なプログラムである要近接撮影モード用プログラムの起動と、前記フォーカス位置調節制御手段によるフォーカス位置の調節制御と、を並行して行うことを特徴としている。
【００２４】
また、本発明のフォーカス位置調節制御方法は、本発明のカメラ付き電子機器におけるレンズのフォーカス位置を調節するための制御方法であって、前記カメラ付き電子機器の動作モードとして前記要近接撮影モードが選択解除された場合に、前記要近接撮影モード用プログラムの終了と、前記フォーカス位置調節制御手段により前記フォーカス位置を通常距離撮影用の位置に調節する制御と、を並行して行うことを特徴としている。
【００２５】
また、本発明のフォーカス位置調節制御方法は、本発明のカメラ付き電子機器におけるレンズのフォーカス位置を調節するための制御方法であって、前記カメラ付き電子機器の動作モードとして前記要近接撮影モードが選択された場合には、前記要近接撮影モードを実現するのに必要なプログラムである要近接撮影モード用プログラムの起動と、前記フォーカス位置調節制御手段により前記フォーカス位置を近接撮影用の位置に調節する制御と、を並行して行う一方で、前記動作モードとして前記要近接撮影モードが選択解除された場合には、前記要近接撮影モードを実現するのに必要なプログラムである要近接撮影モード用プログラムの終了と、前記フォーカス位置調節制御手段により前記フォーカス位置を通常距離撮影用の位置に調節する制御と、を並行して行うことを特徴としている。
【００２６】
また、本発明のプログラムは、コンピュータが実行可能なプログラムにおいて、本発明のカメラ付き電子機器における動作モードとして前記要近接撮影モードが選択された場合に前記フォーカス位置を近接撮影用位置に調節する制御を実現させるのに必要であることを特徴としている。
【００２７】
また、本発明のプログラムは、コンピュータが実行可能なプログラムにおいて、本発明のカメラ付き電子機器において前記要近接撮影モードが選択された場合に、前記要近接撮影モード用プログラムの起動と、前記選択時フォーカス位置調節用プログラムの実行と、並行して行わせるのに必要であることを特徴としている。
【００２８】
また、本発明のプログラムは、コンピュータが実行可能なプログラムにおいて、本発明のカメラ付き電子機器における動作モードとして前記要近接撮影モードが選択解除された場合に前記フォーカス位置を通常距離撮影用位置に調節する制御を実現させるのに必要であることを特徴としている。
【００２９】
また、本発明のプログラムは、コンピュータが実行可能なプログラムにおいて、本発明のカメラ付き電子機器において前記要近接撮影モードが選択解除された場合に、前記要近接撮影モード用プログラムの終了と、前記解除時フォーカス位置調節用プログラムの実行と、を並行して行わせるのに必要であることを特徴としている。
【００３０】
また、本発明の記録媒体は、コンピュータ読み取り可能な記録媒体において、本発明のプログラムが記録されていることを特徴としている。
【００３１】
【発明の実施の形態】
以下、図面を参照して、本発明に係る実施の形態について説明する。本実施の形態では、本発明に係るカメラ付き電子機器の適例としての携帯電話機についての説明を行う。
【００３２】
先ず、携帯電話機の構成を説明する。
【００３３】
図１乃至図２に示すように、本実施形態に係る携帯電話機１は、ほぼ直方体形状の第１の筐体１Ａと、第１の筐体１Ａと同様の直方体形状の第２の筐体１Ｂと、第１の筐体１Ａと第２の筐体１Ｂとを相互に回動自在に結合するヒンジ機構１Ｃと、からなっており、第１の筐体１Ａと第２の筐体１Ｂとを、相互に開いたり、あるいは、折り畳んで相互に閉じたりすることができるように構成されている。
【００３４】
このような携帯電話機１は、撮影用のカメラ２と、該カメラ２による撮影操作、電子メールの作成操作および通話操作等の各種操作をユーザーが行うための操作部３と、カメラ２による撮影結果やその他の表示を行うための表示部４と、当該携帯電話機１と外部（具体的には、例えば携帯電話用基地局）との間で無線信号を送受信するためのアンテナ５と、通話の際に相手方に送信される音声を検出する送話部６と、通話の際に相手方より受信される音声を発音する受話部７を外面側に備える他、当該携帯電話機１の動作電源用の電池を収納した電池パック（図示略）および制御装置８（図３）を内部に備えて構成されている。
【００３５】
本実施形態に係る携帯電話機１は、例えば、通話機能、電子メールの送受信機能、および、カメラ２による撮影機能の他に、カメラ２による近接撮影を利用する必要がある機能、すなわち、例えばバーコード認識機能を備えている。
【００３６】
携帯電話機１のカメラ２は、通常距離での撮影すなわち通常距離撮影と、近接距離での撮影すなわち近接撮影（接写ともいう）と、が可能なものである。
【００３７】
カメラ２は、具体的には、例えば図４に示す構成となっている。
【００３８】
すなわち、カメラ２は、レンズ２１と、このレンズ２１を介して被写体の光学像の受光及び検出を行う受光素子（例えば、ＣＣＤ：Ｃｈａｒｇｅ  Ｃｏｕｐｌｅｄ  Ｄｅｖｉｃｅ）２２と、この受光素子２２を備えているとともに携帯電話機１の本体部に固定されたカメラ本体部２３と、このカメラ本体部２３に対し以下で説明する連結構造により連結されているとともにレンズ２１を保持した回転筒２４と、この回転筒２４をカメラ本体部２３に対して相対的に回転駆動させることによりレンズ２１を光軸方向に移動させるためのレンズアクチュエータ２５（図３）と、を備えて構成されている。このうちカメラ本体部２３と回転筒２４とは、これらのうちいずれか一方（例えば回転筒２４の外周面）に形成されたカム２６と、いずれか他方（例えばカメラ本体部２３の内周面）に形成されたカム溝２７と、が相互に係合し合うことにより連結された連結構造をなしている。ここで、カム２６及びカム溝２７は、それぞれレンズ２１の光軸方向に軸方向が略一致する螺旋形状をなしている。このため、カメラ本体部２３に対して回転筒２４がその軸周りに回転駆動されると、カム２６とカム溝２７との係合状態が変化するのに伴い回転筒２４がカメラ本体部２３に対して移動する。すなわち、カメラ本体部２３に対し回転筒２４が一方向に回転駆動されると、回転筒２４がレンズ２１の光軸方向に出っ張るのに伴いレンズ２１が受光素子２２から遠ざかる結果として、レンズ２１のフォーカス位置が近接撮影用の位置（近接撮影用位置）へと変化する（図４（ａ）の状態から図４（ｂ）の状態に変化する）。逆に、回転筒２４が逆方向に回転駆動されると、該回転筒２３がレンズ２１の光軸方向に引っ込むのに伴いレンズ２１が受光素子２２に近づく結果として、レンズ２１のフォーカス位置が通常距離撮影用の位置（通常距離撮影用位置）へと変化する（図４（ｂ）の状態から図４（ａ）の状態に変化する）。このように、カメラ２のレンズ２１は、通常距離撮影の際、ならびに、近接撮影の際に共通に用いられるものであり、該レンズ２１をその光軸方向に移動させることによりフォーカス位置を調節できるようになっている。なお、レンズ２１の駆動手段たるレンズアクチュエータ２５としては、モータやピエーゾ素子などが挙げられるが、これらの例に限らずその他のものを適用しても良い。
【００３９】
また、操作部３は、ユーザーに操作される操作キーを複数備えている。これら操作キーのそれぞれには、当該携帯電話機１が有する複数の機能のうちいずれかが対応付けられている。そして、携帯電話機１は、いずれかの操作キーがユーザーにより押圧操作されると、該操作された操作キーに対応付けられた機能が（後述するように制御装置８による制御で）働くように構成されている。
【００４０】
すなわち、図２に示すように、操作部３は、具体的には、例えば、バーコード認識モード（要近接撮影モード）を携帯電話機１の動作モードとして選択する操作を行うためのバーコード認識モード選択キー（要近接撮影モード選択操作部）３１、バーコード認識モードにおいてバーコード読み取りを実行するためのバーコード読取操作キー３１１、バーコード認識モードの選択解除操作を行うためのバーコード認識モード選択解除キー（要近接撮影モード選択解除操作部）３２、送信用電子メールの作成モードを動作モードとして選択する操作を行うためのメール作成モード選択キー３３、カメラ２による撮影モードを動作モードとして選択するための撮影モード選択キー３４、撮影モードにおいて通常距離撮影モードを選択するための通常距離撮影選択キー３５、撮影モードにおいて近接撮影モードを選択するための近接撮影選択キー３６等の他、数字入力用の複数の数字キー（文字入力用にも共通使用される）、着信及び発信の際に通話状態への移行を行うための通話キー、電源のＯＮ／ＯＦＦを行うための電源キー等を備えている。
【００４１】
また、操作部３は、上記の各操作キーに１対１で対応付けられた検出スイッチを内部に備えている。すなわち、図３に示すように、操作部３は、バーコード認識モード選択キー３１に対応付けられたバーコード認識モード選択操作検出スイッチ３１ａ、バーコード読取操作キー３１１に対応付けられたバーコード読取操作検出スイッチ３１１ａ、バーコード認識モード選択解除キー３２に対応付けられたバーコード認識モード選択解除操作検出スイッチ３２ａ、メール作成モード選択キー３３に対応付けられたメール作成モード選択操作検出スイッチ３３ａ、撮影モード選択キー３４に対応付けられた撮影モード選択操作検出スイッチ３４ａ、通常距離撮影選択キー３５に対応付けられた通常距離撮影選択操作検出スイッチ３５ａ、近接撮影選択キー３６に対応付けられた近接撮影選択操作検出スイッチ３６ａ、各数字キーに対応付けられた数字キー操作検出スイッチ、通話キーに対応付けられた通話キー操作検出スイッチ、電源キーに対応付けられた電源キー操作検出スイッチ等を備えている。これらの検出スイッチは、各々対応付けられた操作キーが押圧操作されたことを検出し、該検出信号を制御装置８に出力するものである。
【００４２】
また、表示部４は、例えば液晶表示装置の表示画面により構成されている。表示部４では、携帯電話機１の動作モードがユーザーの操作に基づき変化するのに応じて様々な表示を行う。すなわち、表示部４では、例えば、動作モードが送信用電子メールの作成モードの際には電子メールの作成画面を表示し、撮影モード並びにバーコード認識モードの際にはカメラ２のレンズ２１を介して受光素子２２にて受光及び検出した光学像を表示する（つまり、表示部４は、撮影モード並びにバーコード認識モードの際にはファインダーとして機能する）。
【００４３】
また、制御装置８は、ＣＰＵ（Ｃｅｎｔｒａｌ  Ｐｒｏｃｅｓｓｉｎｇ  Ｕｎｉｔ）８１、ＲＯＭ（Ｒｅａｄ  Ｏｎｌｙ  Ｍｅｍｏｒｙ）８２、ＲＡＭ（Ｒａｎｄｏｍ  Ａｃｃｅｓｓ  Ｍｅｍｏｒｙ）８３等を備えて構成されている。
【００４４】
このうち、ＣＰＵ８１は、演算部、制御部を備え、ＲＯＭ８２に記憶されている各プログラムを実行することにより、各種演算の他、レンズアクチュエータ２５、表示部４及び受話部７等の動作制御を行う。
【００４５】
ＲＯＭ（記憶媒体）８２は、ＣＰＵ８１による演算用及び制御用のデータ（例えば、各プログラムの実行の際における表示部４での表示画像データ等）や、演算用および制御用のプログラム等を記憶している。ここで、このプログラムには、図８に示すバーコード認識モード用プログラム（要近接撮影モード用プログラム）８２１、選択時フォーカス位置調節用プログラム８２２、選択時並行処理用プログラム８２３、解除時フォーカス位置調節用プログラム８２４及び解除時並行処理用プログラム８２５等が含まれている。
【００４６】
このうち、バーコード認識モード用プログラム８２１は、バーコード認識モード（要近接撮影モード）を実現させるのに必要なプログラムである。
【００４７】
また、選択時フォーカス位置調節用プログラム８２２は、動作モードとしてバーコード認識モードが選択された場合にレンズ２１のフォーカス位置を近接撮影用位置に調節する制御を実現させるのに必要なプログラムである。
【００４８】
また、選択時並行処理用プログラム８２３は、動作モードとしてバーコード認識モードが選択された場合に、バーコード認識モード用プログラム８２１の起動と、選択時フォーカス位置調節用プログラム８２２の実行と、を並行して行わせるのに必要なプログラムである。
【００４９】
また、解除時フォーカス位置調節用プログラム８２４は、バーコード認識モードが選択解除された場合に、レンズ２１のフォーカス位置を通常距離撮影用位置に調節する制御を実現させるのに必要なプログラムである。
【００５０】
また、解除時並行処理用プログラム８２５は、バーコード認識モードが選択解除された場合に、バーコード認識モード用プログラム８２１の終了と、解除時フォーカス位置調節用プログラム８２４の実行と、を並行して行わせるのに必要なプログラムである。
【００５１】
ＲＡＭ８３は、ＣＰＵ８１がプログラムを実行する際に各種データを一時的に記憶する記憶領域、ユーザーの操作に基づきＣＰＵ８１にて生成されたデータ（例えば、カメラ２により撮影された画像データ）、受信したデータ（例えば受信メールのデータ）等を記憶する記憶領域、並びに、ＣＰＵ８１の作業領域等を備えている。
【００５２】
また、ＣＰＵ８１には、操作部３の各検出スイッチ、受光素子２２、アンテナ５及び送話部６等からの検出信号が入力されるようになっていて、ＣＰＵ８１は、該入力に基づいて各種のプログラムの起動・実行等の処理を行うようになっている。また、このプログラムの内容に応じて、ＣＰＵ８１は、レンズアクチュエータ２５、表示部４及び受話部７等に制御信号を出力し、これらの動作制御を行うようになっている。
【００５３】
すなわち、例えば、撮影モード選択操作検出スイッチ３４ａからの検出信号が入力されると、ＣＰＵ８１は、携帯電話機１の動作モードを撮影モードに移行させる処理を行う。そして、撮影モードにおいては、ＣＰＵ８１は、受光素子２２からの検出信号に基づき、例えば、表示部４に画像表示を行わせる処理を行う。また、撮影モードにおいて、通常距離撮影選択操作検出スイッチ３５ａからの検出信号が入力されると、ＣＰＵ８１は、レンズアクチュエータ２５の駆動制御を行ってレンズ２１のフォーカス位置を通常距離撮影用の位置に調節する制御を行う。他方、撮影モードにおいて、近接撮影選択操作検出スイッチ３６ａからの検出信号が入力されると、ＣＰＵ８１は、レンズアクチュエータ２５の駆動制御を行ってレンズ２１のフォーカス位置を近接撮影用の位置に調節する制御を行う。また、メール作成モード選択操作検出スイッチ３３ａからの検出信号が入力されると、ＣＰＵ８１は、携帯電話機１の動作モードを送信用電子メールの作成モードに移行させる処理を行うとともに、表示部４にメール作成画面の表示を行わせる。
【００５４】
また、バーコード認識モード選択操作検出スイッチ３１ａからの検出信号がＣＰＵ８１に入力されると、ＣＰＵ８１は、先ず、選択時並行処理用プログラム８２３を起動及び実行する。すると、ＣＰＵ８１は、選択時並行処理用プログラム８２３に従って、バーコード認識モード用プログラム８２１の起動（ＲＡＭ８３の作業領域上での展開）と、選択時フォーカス位置調節用プログラム８２２の実行と、を並行して行う。すなわち、ＣＰＵ８１は、バーコード認識モード用プログラム８２１に従って、携帯電話機１の動作モードをバーコード認識モードに移行させる（その結果、例えば、表示部４では、受光素子２２からの検出信号に基づく表示が行われる）とともに、選択時フォーカス位置調節用プログラムに従って、レンズアクチュエータ２５を駆動制御することによりカメラ２のレンズ２１のフォーカス位置を近接撮影用位置に調節する。なお、ここで、制御装置８は、フォーカス位置調節制御手段として機能する。
【００５５】
また、バーコード読取操作キー３１１からの検出信号が入力されると、ＣＰＵ８１は、バーコードの読み取り処理、すなわち、受光素子２２で検出した光学像の画像データをＲＡＭ８３に記憶させる処理等を行う。
【００５６】
また、バーコード認識モード選択解除キー３２からの検出信号が入力されると、ＣＰＵ８１は、先ず、解除時並行処理用プログラム８２５を起動及び実行する。すると、ＣＰＵ８１は、解除時並行処理用プログラム８２５に従って、バーコード認識モード用プログラム８２１の終了（ＲＡＭ８３の作業領域からの消去）と、解除時フォーカス位置調節用プログラム８２４の実行と、を並行して行う。すなわち、ＣＰＵ８１は、バーコード認識モードを終了させるとともに、解除時フォーカス位置調節用プログラム８２４に従ってレンズアクチュエータ２５を駆動制御することにより、カメラ２のレンズ２１のフォーカス位置を通常距離撮影用位置に調節する。なお、ここで、制御装置８は、フォーカス位置調節制御手段として機能する。
【００５７】
次に、図５を参照して本実施形態の携帯電話機１の動作について詳細に説明する。
【００５８】
例えば、携帯電話機１の動作モードが撮影モードの通常距離撮影モードである場合には、カメラ２のレンズ２１のフォーカス位置は通常距離撮影用の位置となっている（図４（ａ）の状態）。
【００５９】
このときに、携帯電話機１の動作モードとしてバーコード認識モード（要近接撮影モード）が選択されたとする、すなわち、バーコード認識モード選択キー３１がユーザーにより操作されたとする（図５のステップＳ１）。
【００６０】
すると、バーコード認識モード選択操作検出スイッチ３１ａからの入力信号により、ＣＰＵ８１は、バーコード認識モードが選択されたと認識（判定）し、選択時並行処理用プログラム８２３を実行する（ステップＳ２）。
【００６１】
これにより、ＣＰＵ８１は、選択時並行処理用プログラム８２３に従って、ステップＳ３ａとステップＳ３ｂとを並行して行う。
【００６２】
すなわち、バーコード認識モード用プログラム８２１を起動する（ステップＳ３ａ）一方で、選択時フォーカス位置調節用プログラム８２２に従って、レンズアクチュエータ２５を駆動制御することによりカメラ２のレンズ２１のフォーカス位置を近接撮影用位置に調節する（ステップＳ３ｂ）。
【００６３】
この結果、レンズ２１のフォーカス位置は、バーコード認識に適した位置（図４（ｂ）の状態）となるので、ユーザーは、ただちにバーコード認識操作を適切に行うことができる。つまり、ステップＳ１の後は速やかに、ステップＳ４にてバーコード認識モードの機能を適切に実行することができる。
【００６４】
また、その後、携帯電話機１の動作モードとしてバーコード認識モードが選択解除されたとする、すなわち、バーコード認識モード選択解除キー３２がユーザーにより操作されたとする（ステップＳ５）。
【００６５】
すると、バーコード認識モード選択解除操作検出スイッチ３２ａからの入力信号により、ＣＰＵ８１は、バーコード認識モードが選択解除されたと認識（判定）し、解除時並行処理用プログラム８２５を実行する（ステップＳ６）。
【００６６】
これにより、ＣＰＵ８１は、解除時並行処理用プログラム８２５に従って、ステップＳ７ａとステップＳ７ｂとを並行して行う。
【００６７】
すなわち、バーコード認識モード用プログラム８２１を終了する（ステップＳ７ａ）一方で、解除時フォーカス位置調節用プログラム８２４に従って、レンズアクチュエータ２５を駆動制御することによりカメラ２のレンズ２１のフォーカス位置を通常距離撮影用位置に調節する（ステップＳ７ｂ）。
【００６８】
この結果、レンズ２１のフォーカス位置は通常距離撮影に適した位置（図４（ａ）の状態）となるので、例えば、その後に撮影モードで通常距離撮影を行おうとする場合には、通常距離撮影選択キー３５の操作を必要としない。
【００６９】
よって、バーコード認識モードを利用した後で通常距離撮影を行おうとする場合、ユーザーは、速やかにジャストフォーカスでの撮影を行うことができる。
【００７０】
次に、図６を参照して、ＣＰＵ８１が行う主要な制御である選択時処理について説明する。この選択時処理は、バーコード認識モードでない場合に行われる処理である。
【００７１】
先ず、ステップＳ１１では、バーコード認識モードが選択されたか否かを判定する。すなわち、選択されていないと判定した場合（ステップＳ１１のＮｏ）、つまり、バーコード認識モード選択操作検出スイッチ３１ａからの信号入力がなかった場合には当該制御フローを終了する一方で、選択されたと判定した場合（ステップＳ１１のＹｅｓ）、つまり、バーコード認識モード選択操作検出スイッチ３１ａからの信号入力があった場合にはステップＳ１２に移行する。
【００７２】
ステップＳ１２では、選択時並行処理用プログラム８２３を起動する。
【００７３】
続くステップＳ１３では、バーコード認識モード用プログラム８２１の起動と、選択時フォーカス位置調節用プログラム８２２の実行と、を並行して行い、当該選択時処理を終了する。
【００７４】
次に、図７を参照して、ＣＰＵ８１が行う主要な制御である解除時処理について説明する。この解除時処理は、バーコード認識モードの場合に行われる処理である。
【００７５】
先ず、ステップＳ２１では、バーコード認識モードが選択解除されたか否かを判定する。すなわち、選択解除されていないと判定した場合（ステップＳ２１のＮｏ）、つまり、バーコード認識モード選択解除操作検出スイッチ３２ａからの信号入力がなかった場合には、当該制御フローを終了する一方で、選択解除されたと判定した場合（ステップＳ２１のＹｅｓ）、つまり、バーコード認識モード選択解除操作検出スイッチ３２ａからの信号入力があった場合には、ステップＳ２２に移行する。
【００７６】
ステップＳ２２では、解除時並行処理用プログラム８２５を起動する。
【００７７】
続くステップＳ２３では、バーコード認識モード用プログラム８２１の終了と、解除時フォーカス位置調節用プログラム８２４の実行と、を並行して行い、当該選択時処理を終了する。
【００７８】
以上のような実施の形態の携帯電話機１によれば、動作モードとしてバーコード認識モードが選択された場合には、レンズ２１のフォーカス位置を近接撮影用の位置に調節する制御をフォーカス位置調節制御手段としての制御装置８が自動的に行うので、ユーザーは、バーコード認識モードの選択操作（具体的には、例えば、バーコード認識モード選択キー３１の押圧操作）を行うだけで、バーコード認識モードの機能を適切に実行できる状態へと携帯電話機１の状態を移行させることができる。つまり、従来の携帯電話機の場合には、バーコード認識モードの選択操作の他にも撮影モードを近接撮影モードに設定する操作を要していたのに対し、本実施形態の携帯電話機１の場合には、撮影モードを近接撮影モードに設定する操作を必要としないので、バーコード認識モードに移行させるための操作が簡単・迅速になる。また、このように、近接撮影モードへの設定操作を行う必要がないことから、該設定操作のし忘れに起因する問題、具体的には、例えば、誤認識の発生によりバーコード認識が適切に行われない、或いは、バーコード認識操作がエラーとして扱われてしまうことにより該操作を実行できない等といった問題は発生しない構成とすることができる。
【００７９】
また、動作モードとしてバーコード認識モードが選択された場合に、バーコード認識モード用プログラム８２１の起動と、制御装置８によりフォーカス位置を近接撮影用の位置に調節する制御（選択時フォーカス位置調節用プログラム８２２の実行）と、を並行して行うので、バーコード認識モードの機能を実行できる状態へと速やかに移行できる。
【００８０】
また、バーコード認識モードが選択解除された場合には、レンズのフォーカス位置を通常距離撮影用の位置に調節する制御を制御装置８が自動的に行うので、ユーザーは、要近接撮影モードの選択解除操作（具体的には、例えば、バーコード認識モード選択解除キー３２の押圧操作）を行うだけで、通常距離撮影を適切に行える状態へと携帯電話機１の状態を移行させることができる。つまり、従来の携帯電話機の場合には、バーコード認識モードの選択解除操作の他にも撮影モードを通常距離撮影モードに設定する操作を要していたのに対し、本実施形態の携帯電話機１の場合には、撮影モードを通常距離撮影モードに設定する操作を必要としないので、バーコード認識モードの解除操作が簡単・迅速になる。また、このように、バーコード認識モードを解除する際（或いは解除の後に通常距離撮影を行う際）に通常距離撮影モードへの設定操作を行う必要がないことから、該設定操作のし忘れに起因する問題、具体的には、例えば、通常距離での撮影時にジャストフォーカスの撮影ができない等といった問題は発生しない構成とすることができる。
【００８１】
また、バーコード認識モードが選択解除された場合に、バーコード認識モード用プログラム８２１の終了と、制御装置８によりフォーカス位置を通常距離撮影用の位置に調節する制御（解除時フォーカス位置調節用プログラム８２４の実行）と、を並行して行うので、その後においては、ジャストフォーカスでの通常距離撮影を速やかに行うことができる。
【００８２】
また、レンズ２１は、通常距離撮影の際ならびに近接撮影の際に共通に用いられるものであり、フォーカス位置調節制御手段としての制御装置８は、レンズ２１をその光軸方向に移動させることによりフォーカス位置を調節制御するので、近接撮影用の専用のレンズを用いる場合と比べて部品点数が少なく済む。よって、携帯電話機１の製造工程を単純化できるとともに携帯電話機１の低コスト化が図れる。
【００８３】
なお、上記の実施の形態では、本発明に係るカメラ付き電子機器の一例として、携帯電話機１についてのみ説明したが、本発明はこれに限らず、例えば、ＰＨＳ、携帯型情報通信端末（ＰＤＡ）等のその他の携帯情報端末装置にも同様に適用可能である。さらに、本発明は、これらの携帯情報端末装置に限らず、例えば小型の家電製品等にも同様に適用可能である。
【００８４】
また、上記の実施の形態では、本発明の記憶媒体として、ＲＯＭ８２を例示したが、本発明の記憶媒体には、データを記録することができるあらゆる媒体を含むものとする。すなわち、このような媒体の例としては、他にも、例えば、ＣＤ−ＲＯＭ（Ｃｏｍｐａｃｔ  Ｄｉｓｋ−ＲＯＭ）やＰＤなどのディスク型の記憶媒体、磁気テープ、ＭＯ（Ｍａｇｎｅｔ  Ｏｐｔｉｃａｌ  Ｄｉｓｋ）、ＤＶＤ−ＲＯＭ（Ｄｉｇｉｔａｌ  Ｖｉｄｅｏ  Ｄｉｓｋ−Ｒｅａｄ  Ｏｎｌｙ  Ｍｅｍｏｒｙ）、ＤＶＤ−ＲＡＭ（Ｄｉｇｉｔａｌ  Ｖｉｄｅｏ  Ｄｉｓｋ−Ｒａｎｄｏｍ  Ａｃｃｅｓｓ  Ｍｅｍｏｒｙ）、フレキシブルディスク、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、スマートメディア（登録商標）、フラッシュメモリー、コンパクトフラッシュ（登録商標）カードなどの書き換え可能なカード型ＲＯＭ、ハードディスクがあり、その他プログラムの格納に適していれば、いかなる手段も用いることができる。
【００８５】
また、上記の実施の形態では、本発明の記憶媒体として、カメラ付き電子機器（具体的には携帯電話機１）に備え付けのＲＯＭ８２を示したが、本発明の記憶媒体は、この例に限らず、例えば、カメラ付き電子機器に対し着脱自在に構成された記憶媒体により構成しても良い。
【００８６】
また、上記の実施の形態では、近接撮影機能を利用した機能（すなわち、要近接撮影モードにおける機能；以下、要近接撮影機能）として、バーコード認識機能を例示したが、本発明はこれに限らず、例えば、ＯＣＲやその他の情報認識等を要近接撮影機能として適用しても良く、この場合にも、上記と同様の効果が得られる。
【００８７】
また、上記の実施の形態では、レンズ２１として、通常距離撮影の際ならびに近接撮影の際に共通に用いられるものを例示したが、通常距離撮影の際と近接撮影の際とでは互いに異なるレンズ又はレンズ群を用いるようにしても良い。すなわち、例えば、通常距離撮影の際と近接撮影の際とでは、互いにフォーカス位置の異なる別個のレンズを用いるようにしても良いし、近接撮影の際には、通常距離撮影の際に用いられる通常距離撮影用レンズに加えて近接撮影用レンズを用いることで、これら両レンズによりレンズ群を構成するようにしても良い。
【００８８】
また、上記の実施の形態では、バーコード認識モードの選択解除操作として、バーコード認識モード選択解除キー３２の操作を例示したが、これに限らず、例えば、他のモードの選択操作を選択解除操作としても良い。すなわち、具体的には、例えば、メール作成モード選択キー３３の操作や、撮影モード選択キー３４の操作、或いは、通常距離撮影選択キー３５の操作等を選択解除操作としても良い。
【００８９】
また、バーコード認識モードの選択操作の際に既に撮影モードが近接撮影モードとなっている場合に、バーコード認識モードの選択操作がなされた際には、レンズ２１のフォーカス位置を改めて近接撮影用位置に調節制御する必要がないので、選択時フォーカス位置調節用プログラム８２２の実行を省略することが好ましい。
【００９０】
また、上記の実施の形態においては、簡単のため、１つのキー操作で１つの機能選択が可能な例を説明したが、例えば、複数のキー操作の組み合わせにより機能選択ができるような構成としても良い。
【００９１】
【発明の効果】
本発明によれば、動作モードとして要近接撮影モードが選択された場合には、レンズのフォーカス位置を近接撮影用の位置に調節する制御をフォーカス位置調節制御手段が自動的に行うので、ユーザーは、要近接撮影モードの選択操作を行うだけで、要近接撮影モードの機能を適切に実行できる状態へとカメラ付き電子機器の状態を移行させることができる。つまり、撮影モードを近接撮影モードに設定する操作を必要としないので、要近接撮影モードに移行させるための操作が簡単・迅速になる。従って、近接撮影モードへの設定操作のし忘れに起因する問題、具体的には、例えば、誤認識の発生によりバーコード認識が適切に行われない、或いは、バーコード認識操作がエラーとして扱われてしまうことにより該操作を実行できない等といった問題は発生しない構成とすることができる。
【００９２】
また、本発明によれば、要近接撮影モードが選択解除された場合には、レンズのフォーカス位置を通常距離撮影用の位置に調節する制御をフォーカス位置調節制御手段が自動的に行うので、ユーザーは、要近接撮影モードの選択解除操作を行うだけで、通常距離撮影を適切に行える状態へとカメラ付き電子機器の状態を移行させることができる。つまり、撮影モードを通常距離撮影モードに設定する操作を必要としないので、要近接撮影モードの解除操作が簡単・迅速になる。従って、通常距離撮影モードへの設定操作のし忘れに起因する問題、具体的には、例えば、通常距離での撮影時にジャストフォーカスの撮影ができない等といった問題は発生しない構成とすることができる。
【図面の簡単な説明】
【図１】本発明に係るカメラ付き電子機器の好適な一例としての携帯電話機の全体図であり、特に、カメラが配された側を示す。
【図２】携帯電話機の全体斜視図であり、特に、操作部等が配された側を示す。
【図３】携帯電話機における主要な制御ブロック図である。
【図４】カメラの構成を説明するための概略断面図である。
【図５】携帯電話機の動作を説明するためのフローチャートである。
【図６】携帯電話機が行う主要な制御フローの１つである選択時処理を示すフローチャートである。
【図７】携帯電話機が行う主要な制御フローの１つである解除時処理を示すフローチャートである。
【図８】携帯電話機のＲＯＭの主要な記憶内容を示す図である。
【符号の説明】
１      携帯電話機（カメラ付き電子機器）
２      カメラ
２１    レンズ
８      制御装置（フォーカス位置調節制御手段）
【図１】
2004309689.tif 000003
【図２】
2004309689.tif 000004
【図３】
2004309689.tif 000005
【図４】
2004309689.tif 000006
【図５】
2004309689.tif 000007
【図６】
2004309689.tif 000008
【図７】
2004309689.tif 000009
【図８】
2004309689.tif 000010